(57)【要約】      （修正有）【課題】ロール紙の引出端を掴みやすい位置に短時間で引き出すトイレットペーパーホルダを提供する。【解決手段】第１のペア歯車３０は、第１の大型歯車３１と第１の小型歯車３２とで構成される。第１のペア歯車３０は、トイレットペーパー１００のロール紙が前方に引き出されるとき、前方に移動し、左押さえ部材２０と共に回転する。第２のペア歯車４０は、第２の大型歯車４１と第２の小型歯車４２とで構成される。第１のペア歯車３０が前方に移動したとき、第２の大型歯車４２が第１の小型歯車３２と噛み合い、第２のペア歯車４０は回転する。このとき、第２のゼンマイバネ７０は、エネルギーを蓄える。ロール紙がカットされたとき、付勢部材６０が第１のペア歯車３０を後方に押し戻す。このとき、第２のゼンマイバネ７０が第２のペア歯車４０を逆向きに回転させ、第３のペア歯車５０が回転し、第１のペア歯車３０と左押さえ部材２０がロール紙を引き出す向きに回転する。【選択図】図２
0003219710.tif 000002
【実用新案登録請求の範囲】
【請求項１】
基板と、
前記基板の一方の側部に取り付けられており、中央部に略横方向に延びるスリットを有する第１の側板と、
前記基板の他方の側部に取り付けられており、中央部に孔を有する第２の側板と、
前記基板の上部に取り付けられたカバーと、
略円錐状であって底面の中心に回転軸が取り付けられており、当該回転軸が前記スリットに挿入されることによって前記第１の側板に回転可能に取り付けられており、トイレットペーパーを一方の側から円錐の頂点部で押さえる第１の押さえ部材と、
略円錐状であって底面の中心に中心軸が取り付けられており、当該中心軸が前記孔に挿入されることによって、前記第２の側板における前記第１の押さえ部材と対向する位置にバネを介して取り付けられており、前記トイレットペーパーを他方の側から円錐の頂点部で押さえる第２の押さえ部材と、
同軸である第１の大型歯車と第１の小型歯車とで構成され、前記第１の押さえ部材と同軸になるように前記回転軸に取り付けられており、前記トイレットペーパーのロール紙が前記カバーの先端から前方に引き出されるとき、前方に移動し、前記第１の押さえ部材と共に当該ロール紙を引き出す向きに回転する第１のペア歯車と、
第１のゼンマイバネを有し、前記第１のペア歯車が前方に移動するときに当該第１のゼンマイバネにエネルギーを蓄え、前記ロール紙が前記カバーの先端でカットされ、前記ロール紙を前方に引き出す力が無くなったときに、当該エネルギーによって前記第１の押さえ部材と前記第１のペア歯車とを後方に押し戻す付勢部材と、
前記第１の側板に同軸に取り付けられた第２の大型歯車と第２の小型歯車とで構成され、前記第１のペア歯車が前方に移動したときに、当該第２の大型歯車が前記第１の小型歯車と噛み合って回転する第２のペア歯車と、
前記第１のペア歯車が前方に移動し、当該第２の大型歯車が前記第１の小型歯車と噛み合って前記第２のペア歯車が回転するときにエネルギーを蓄え、前記付勢部材によって前記第１のペア歯車が後方に押し戻されて前記第２の大型歯車と前記第１の小型歯車の噛み合いが外れたときに、当該エネルギーで前記第２のペア歯車を逆向きに回転させる第２のゼンマイバネと、
前記第１の側板に同軸に取り付けられた第３の大型歯車と第３の小型歯車とで構成され、当該第３の大型歯車が前記第２の小型歯車と常時噛み合っており、前記第１のペア歯車が後方に押し戻されたときに当該第３の小型歯車が前記第１の大型歯車と噛み合う第３のペア歯車と、
を備え、
前記第２のペア歯車が逆向きに回転するときに、前記第２の小型歯車と噛み合っている前記第３の大型歯車の回転に伴って前記第３のペア歯車が回転し、前記第３の小型歯車の回転に伴って前記第１の大型歯車が前記ロール紙を引き出す向きに回転し、前記第１の大型歯車の回転に伴って前記第１の押さえ部材が前記ロール紙を引き出す向きに回転することによって前記ロール紙が前記カバーの先端から引き出される、
トイレットペーパーホルダ。
【請求項２】
前記第３の小型歯車の側面に取り付けられた突起と
前記第１の側板に取り付けれており、前記突起に当接するとき、前記第３のペア歯車の回転を止めるストッパと、
を備える請求項１に記載のトイレットペーパーホルダ。
【考案の詳細な説明】
【技術分野】
【０００１】
本考案は、トイレットペーパーのロール紙の引出端がカバーの端からせり出しており、引出端を掴みやすいトイレットペーパーホルダに関する。
【背景技術】
【０００２】
特許文献１には、トイレットペーパーホルダからロール紙を引き出すときにロール紙の支持棒の回転軸に取り付けられたゼンマイバネにエネルギーを蓄え、ロール紙がカバーの先端で切断されて引き出す力が無くなると、そのゼンマイバネのエネルギーによって支持棒が逆方向に回転してロール紙を引き込み、支持棒が所定の角度だけ逆回転すると、ロール紙の引出端が垂れ下がるトイレットペーパーホルダが記載されている。
【先行技術文献】
【特許文献】
【０００３】
【特許文献１】特開昭６０−６８８２０号公報
【考案の概要】
【考案が解決しようとする課題】
【０００４】
特許文献１に記載のトイレットペーパーホルダでは、ロール紙の引出端は一旦最大の長さまで垂れ下がる。そして、支持棒が更に逆回転することによって引出端は引き上げられ、最終的に掴みやすい位置になる。このため、引出端が掴みやすい位置になるまで時間がかかる。
また、ロール紙をわずかに引き出したときにロール紙が誤って切断されると、引出端がカバーで覆われた状態で逆回転が止まってしまうおそれがある。
【０００５】
本考案の目的は、ロール紙の引出端を掴みやすい位置に短時間で引き出すことができるトイレットペーパーホルダを提供することである。
【課題を解決するための手段】
【０００６】
上記目的を達成するために、本考案のトイレットペーパーホルダは、
基板と、
前記基板の一方の側部に取り付けられており、中央部に略横方向に延びるスリットを有する第１の側板と、
前記基板の他方の側部に取り付けられており、中央部に孔を有する第２の側板と、
前記基板の上部に取り付けられたカバーと、
略円錐状であって底面の中心に回転軸が取り付けられており、当該回転軸が前記スリットに挿入されることによって前記第１の側板に回転可能に取り付けられており、トイレットペーパーを一方の側から円錐の頂点部で押さえる第１の押さえ部材と、
略円錐状であって底面の中心に中心軸が取り付けられており、当該中心軸が前記孔に挿入されることによって、前記第２の側板における前記第１の押さえ部材と対向する位置にバネを介して取り付けられており、前記トイレットペーパーを他方の側から円錐の頂点部で押さえる第２の押さえ部材と、
同軸である第１の大型歯車と第１の小型歯車とで構成され、前記第１の押さえ部材と同軸になるように前記回転軸に取り付けられており、前記トイレットペーパーのロール紙が前記カバーの先端から前方に引き出されるとき、前方に移動し、前記第１の押さえ部材と共に当該ロール紙を引き出す向きに回転する第１のペア歯車と、
第１のゼンマイバネを有し、前記第１のペア歯車が前方に移動するときに当該第１のゼンマイバネにエネルギーを蓄え、前記ロール紙が前記カバーの先端でカットされ、前記ロール紙を前方に引き出す力が無くなったときに、当該エネルギーによって前記第１の押さえ部材と前記第１のペア歯車とを後方に押し戻す付勢部材と、
前記第１の側板に同軸に取り付けられた第２の大型歯車と第２の小型歯車とで構成され、前記第１のペア歯車が前方に移動したときに、当該第２の大型歯車が前記第１の小型歯車と噛み合って回転する第２のペア歯車と、
前記第１のペア歯車が前方に移動し、当該第２の大型歯車が前記第１の小型歯車と噛み合って前記第２のペア歯車が回転するときにエネルギーを蓄え、前記付勢部材によって前記第１のペア歯車が後方に押し戻されて前記第２の大型歯車と前記第１の小型歯車の噛み合いが外れたときに、当該エネルギーで前記第２のペア歯車を逆向きに回転させる第２のゼンマイバネと、
前記第１の側板に同軸に取り付けられた第３の大型歯車と第３の小型歯車とで構成され、当該第３の大型歯車が前記第２の小型歯車と常時噛み合っており、前記第１のペア歯車が後方に押し戻されたときに当該第３の小型歯車が前記第１の大型歯車と噛み合う第３のペア歯車と、
を備え、
前記第２のペア歯車が逆向きに回転するときに、前記第２の小型歯車と噛み合っている前記第３の大型歯車の回転に伴って前記第３のペア歯車が回転し、前記第３の小型歯車の回転に伴って前記第１の大型歯車が前記ロール紙を引き出す向きに回転し、前記第１の大型歯車の回転に伴って前記第１の押さえ部材が前記ロール紙を引き出す向きに回転することによって前記ロール紙が前記カバーの先端から引き出される。
【０００７】
好ましくは、本考案のトイレットペーパーホルダは、
前記第３の小型歯車の側面に取り付けられた突起と
前記第１の側板に取り付けれており、前記突起に当接するとき、前記第３のペア歯車の回転を止めるストッパと、
を備える。
【考案の効果】
【０００８】
本考案によれば、ロール紙の引出端を掴みやすい位置に短時間で引き出すことができる。
【図面の簡単な説明】
【０００９】
【図１】本考案の実施形態に係るトイレットペーパーホルダの構成の一例を示す斜視図である。
【図２】トイレットペーパーホルダを両側から挟む左押さえ部材と右押さえ部材の一例を示す図である。
【図３】左側板と右側板の構成の一例を示す図である。図３（Ａ）は左側板の構成の一例を示す。図３（Ｂ）は右側板の構成の一例を示す。
【図４】付勢部材と３つのペア歯車の構成の一例を示す図である。
【図５】ロール紙の引き出し時における３つのペア歯車の回転状態の一例を示す図である。
【図６】ロール紙のカット時における３つのペア歯車の回転状態の一例を示す図である。
【考案を実施するための形態】
【００１０】
以下、図面を参照しつつ、本考案の実施形態に係るトイレットペーパーホルダについて詳細に説明する。なお、実施形態を説明する全図において共通の構成要素には同一の符号を付し、繰り返しの説明を省略する。
【００１１】
図１は、本考案の実施形態に係るトイレットペーパーホルダ１の構成の一例を示す。図２は、トイレットペーパーホルダを両側から挟む左押さえ部材２０と右押さえ部材２５の一例を示す。
トイレットペーパーホルダ１は、基板１０と、左側板１１と、右側板１２と、カバー１３と、左押さえ部材２０と、右押さえ部材２５と、第１のペア歯車３０と、第２のペア歯車４０と、第３のペア歯車５０と、第１のゼンマイバネ６１を有する付勢部材６０と、第２のゼンマイバネ７０と、ストッパ８０とを有する。
【００１２】
左側板１１と右側板１２は、それぞれ基板１０の左側部と右側部に略垂直に取り付けられている。図３（Ａ）に示すように、左側板１１の中央部には略横方向に延びるスリット１４が開いている。また、図３（Ｂ）に示すように、右側板１２の中央部には孔１５が開いている。カバー１３は基板１０の上部に取り付けられている。
【００１３】
左押さえ部材２０は円錐状である。左押さえ部材２０における円形の底面の中心には回転軸２１が取り付けられている。回転軸２１はスリット１４に挿入される。回転軸２１はスリット１４に沿って移動可能である。左押さえ部材２０は、回転軸２１がスリット１４に挿入されることによって、左側板１１に回転可能に取り付けられる。
右押さえ部材２５も円錐状である。右押さえ部材２５における円形の底面の中心には中心軸２６が取り付けられている。中心軸２６には圧縮バネ２７が巻き付けられている。中心軸２６は右側板１２の孔１５に挿入される。右押さえ部材２５は、中心軸２６を孔１５に挿入することにより、右側板１２における左押さえ部材２０と対向する位置に圧縮バネ２７を介して取り付けられる。右押さえ部材２５は、右側板１２に回転可能に取り付けられていることが望ましいが、回転できなくてもよい。
なお、左押さえ部材２０と右押さえ部材２５の頂点近傍はなめらかな曲面であってもよい。
【００１４】
図２に示すように、左押さえ部材２０は、その頂点部がトイレットペーパー１００の芯の孔に左側から挿入され、トイレットペーパー１００を左側から頂点部で押さえる。右押さえ部材２５は、その頂点部がトイレットペーパー１００の芯の孔に右側から挿入され、圧縮バネ２７に付勢されて、トイレットペーパー１００を右側から頂点部で押さえる。
【００１５】
第１のペア歯車３０は、第１の大型歯車３１と第１の小型歯車３２とで構成される。第１の大型歯車３１と第１の小型歯車３２は、同軸であり、同時に回転する。第１のペア歯車３０は、左押さえ部材２０と同軸になるように、回転軸２１に取り付けられている。
付勢部材６０は、２つの側板と上板とを有しており、２つの側板の上端が上板で接続された逆Ｕ字の形状である。それら２つの側板の下部は、第１のペア歯車３０を挟んで、第１のペア歯車３０と共に回転軸２１で貫通されている。付勢部材６０の２つの側板の上部には、第１のゼンマイバネ６１が取り付けられている。
【００１６】
トイレットペーパー１００がトイレットペーパーホルダ１に取り付けられており、トイレットペーパー１００のロール紙が引っ張られていないとき、図４に示すように、付勢部材６０はトイレットペーパーホルダ１の後方に傾いている。
図５に示すように、トイレットペーパー１００のロール紙がカバー１３の先端から前方に引き出されるとき、回転軸２１がスリット１４に沿って前方に移動するため、第１のペア歯車３０は、前方に移動し、トイレットペーパー１００および左押さえ部材２０と共にロール紙を引き出す向きに回転する。このとき、付勢部材６０はトイレットペーパーホルダ１の前方に傾き、第１のゼンマイバネ６１はエネルギーを蓄える。
そして、図６に示すように、ロール紙がカバー１３の先端でカットされ、前方に引き出す力が無くなったとき、付勢部材６０は、第１のゼンマイバネ６１に蓄積されているエネルギーによって、第１のペア歯車３０と左押さえ部材２０とを後方に押し戻す。
【００１７】
第２のペア歯車４０は、第２の大型歯車４１と第２の小型歯車４２とで構成される。第２の大型歯車４１と第２の小型歯車４２は、同軸であり、同時に回転する。第２のペア歯車４０は、左側板１１に回転可能に取り付けられている。
図５に示すように、第１のペア歯車３０が前方に移動したときに第２の大型歯車４１が第１の小型歯車３２と噛み合い、第２のペア歯車４０は回転する。このとき、第２のゼンマイバネ７０はエネルギーを蓄える。
図６に示すように、付勢部材６０によって第１のペア歯車３０が後方に押し戻されて第２の大型歯車４１と第１の小型歯車３２の噛み合いが外れたとき、第２のペア歯車４０は、第２のゼンマイバネに蓄積されているエネルギーによって逆向きに回転する。
【００１８】
第３のペア歯車５０は、第３の大型歯車５１と第３の小型歯車５２とで構成される。第３の大型歯車５１と第３の小型歯車５２は、同軸であり、同時に回転する。第３のペア歯車５０は、左側板１１に回転可能に取り付けられている。第３の大型歯車５１と第２の小型歯車４２とは常時噛み合っている。
図６に示すように、付勢部材６０によって第１のペア歯車３０が後方に押し戻されたとき、第３の小型歯車５１は第１の大型歯車３１と噛み合う。このとき、上述したように、第２のペア歯車４０は、第２のゼンマイバネに蓄積されているエネルギーによって逆向きに回転している。第２の小型歯車４２の回転に伴って、第２の小型歯車４２と噛み合っている第３の大型歯車５１が回転する。第３の大型歯車５１の回転に伴って第３のペア歯車５０が回転する。第３の小型歯車５１の回転に伴って第１の大型歯車３０がロール紙を引き出す向きに回転する。そして、第１のペア歯車３０の回転に伴って第１の押さえ部材２０がロール紙を引き出す向きに回転することによって、ロール紙がカバー１３の先端から引き出される。
【００１９】
図１に示すように、第３の小型歯車５１の側面には、突起５３が設けられている。また、左側板１１には、ストッパ８０が取り付けられている。第３の小型歯車５２が回転してストッパ８０が突起５３に当接すると、ストッパ８０は第３のペア歯車５０の回転を止める。このため、第３のペア歯車５０の回転は略１回転に制限される。
このため、図６に示すように、ロール紙がカバー１３の先端でカットされ、前方に引き出す力が無くなったとき、第１のペア歯車３０および左押さえ部材２０の回転も制限され、ロール紙は所定の長さだけカバー１３の先端から引き出される。
また、第３の大型歯車５１と第２の小型歯車４２とは常時噛み合っているため、第３のペア歯車５０の回転が止まると、第２のペア歯車４０の回転も止まる。図５に示すように、ロール紙を引き出してきるとき、第２のペア歯車４０の回転が止まると、第１のペア歯車３０の回転が止まり、これに伴って左押さえ部材２０の回転が止まる。この後、更にロール紙が引き出されると、トイレットペーパー１００の芯は左押さえ部材２０の頂点部の表面でスリップする。
ロール紙を引き出しているとき、第２のペア歯車４０の回転が所定の回転量に制限されるため、第２のゼンマイバネ７０に蓄積されるエネルギーは所定の量に制限され、第２のゼンマイバネ７０に過度な力が加わることがない。
【００２０】
以上説明したように、本考案によれば、ロール紙の引出端を掴みやすい位置に短時間で引き出すことができる。
また、第２のゼンマイバネ７０に過度な力が加わることがなく、その破壊が防止される。
【００２１】
以上、本考案の実施形態について説明したが、設計または製造上の都合やその他の要因によって必要となる様々な修正や組み合わせは、請求項に記載されている考案や考案の実施形態に記載されている具体例に対応する考案の範囲に含まれる。
【符号の説明】
【００２２】
１…トイレットペーパーホルダ、１０…基板、１１…左側板、１２…右側板、１３…カバー、１４…スリット、１５…孔、２０…左押さえ部材、２１…回転軸、２５…右押さえ部材、２６…中心軸、２７…圧縮バネ、３０…第１のペア歯車、３１…第１の大型歯車、３２…第１の小型歯車、４０…第２のペア歯車、４１…第２の大型歯車、４２…第２の小型歯車、５０…第３のペア歯車、５１…第３の大型歯車、５２…第３の小型歯車、５３…突起、６０…付勢部材、６１…第１のゼンマイバネ、７０…第２のゼンマイバネ、８０…ストッパ、１００…トイレットペ−パー
【図１】
0003219710.tif 000003
【図２】
0003219710.tif 000004
【図３】
0003219710.tif 000005
【図４】
0003219710.tif 000006
【図５】
0003219710.tif 000007
【図６】
0003219710.tif 000008